(57)【特許請求の範囲】
【請求項１】
次の構成からなる自衛護身用、暴漢、猿、猪、野犬等の害獣撃退用の携帯エアゾールスプレー
１．  起立状態に付勢され傾倒及び下動により内溶液を噴射するステムを備えたエアゾール容器を内蔵している。
２．  前記ステムには、ステムと同一軸線上にアクチュエータが立設されている。前記アクチュエータには、くの字型に曲がったノズル道管を内包しており、その先端部には噴射時に、ハウジング前部に有している噴射時用の円形開口部の中央軸線上に位置するようにエアゾール噴射ノズルが具備されている。
３．  前記１．２．を内蔵し、前方に噴射時用の円形開口部、外側にエアゾール発射ボタンを組み付けている円筒形及び多角形の筒形とするハウジング・ボデイケースから成っている。
４．  ハウジング・ボデイケースは、エアゾール容器の頭部の１部分を包含する前部分のハウジング部と、前記エアゾール容器の頭部の一部分を除きエアゾール容器を収納、装填する後部ケース部分のボデイケース部とに２分割され、その分割部分は螺子式で接続され一体化、結合できるようになっている。
５．  前記ハウジング・ボデイケースのハウジング部の接続部分外側部は半月状に突出したリングを形成し、その内側には螺子（谷側）を切ってあり、他方ボデイケース部側の接続部には螺子（山側）が切られ、ハウジング部の接続部分に、ボデイケース部側の接続部を螺子込んで一体化、結合する。またハウジング部の前記半月状リングと中指幅ほどの幅をおいてボデイケース部側に隣接して、前記ボデイケース部外側にも半月状に突出したリングを形成している。
６．  前記ハウジング・ボデイケースには、ハウジング部の接続部半月状リング前方に隣接して、前方向への押し出し式エアゾール発射ボタン装置が取付けられ、その下部（ハウジング部の内側）には前記発射ボタンと連結、一体の折曲がり自在の帯状押し板と前記押し板を通すバイパス路を有し、前記発射ボタンを前方に押し出すことによって、前記押し板の先端部がアクチュエータを押圧、操作して噴射する仕組みを構成する構造が内蔵されている。またハウジング部の前部中央には噴射時用の円形開口部が有る。
７．  ボデイケース部の底部には、エアゾール容器を収納する時必要な空気抜き口、及びストラップ取付け用片部を有している。
【請求項２】
エアゾール内容液、エアゾール溶製剤には、目，鼻，咽喉への水溶性又は催涙ガス刺激剤、或いは前記刺激剤と水溶性又は極微粉末のマーキング用蛍光着色剤、染料、顔料等の混合液からなるエアゾール内容液を使用されている請求項１の自衛護身用、暴漢、猿等の撃退用の携帯エアゾールスプレー。
【発明の詳細な説明】
【技術分野】
【０００１】
本発明は、自衛護身用、暴漢、猿，野犬等の撃退用携帯スプレー等、エアゾール容器のバルブ開閉機構に関するものである。
【背景技術】
【０００２】
ステムをステムの軸方向に押し下げてバルブを開き、エアゾール噴射可能とするもので、
１． ステム上端部に直接的に噴射ボタンを嵌着し、人差し指で押し下げて、エアゾール容器に対し直角方向に噴射するもの。
２． エアゾール容器の上端部に、機械的にステムをステムの軸方向に押し下げることができるように構成した、または組込んだキャップを突設、その側面に設けた噴射ボタンを押し下げて、ステムの軸方向に噴射するもの。
などのバルブ開閉機構が知られている
【０００３】
しかし、前記１については、噴射する前にキャップをはずし、エアゾール容器を縦に持って、噴射口の方向を確認して、発射する必要があり、突嗟の行動には、不向きで対応できないという欠点があった。
【０００４】
前記２については、ステムの軸方向に噴射することは、より扱い易くその命中確度を上げる。しかし機械的になればなるほど部品点数が多くなり、構成もより複雑になる、また操作力が重くなるなどの問題があった。
【０００５】
【特許文献１】実用登録  ３０７１０８６
【特許文献２】実用登録  ３０７６１１４
【特許文献３】特開        ２０００−３４８３
【特許文献４】特開        ２００１−１８０７７２
【特許文献５】実開        平成７−１５５８４
【発明の開示】
【発明が解決しようとする課題】
【０００６】
解決しようとする問題点は、キャップや安全カバーを外したり、エアゾール容器に対し直角方向へのノズル、噴射式では突発的な事件、出来事に対峙、即応できない点である。
【課題を解決するための手段】
【０００７】
本発明は、起立状態に付勢され傾倒及び下動により内溶液を噴射するステムを備えたエアゾール容器を使用し、シンプルな前方への押し出し発射ボタンによる遠隔操作によって、噴射可能にした小型，携帯用である。また掴んで，相手に向けて、即座に発射でき、且つおしゃれな装丁が可能で、無粋武骨ではない小型の携帯用エアゾールスプレーを提供することを最も主要な特徴とする。
【発明の効果】
【０００８】
本発明の携帯エアゾールスプレーは、小型であり、エアゾール溶製剤に目、鼻、咽喉への刺激剤、及び蛍光着色剤の選択、組み合わせ混合することにより、自衛護身、痴漢、暴漢撃退用に、タクシー、コンビニ、あるいは貴金属店、押し込み強盗などの犯人に対しては、威嚇、反撃する勇気を奮い立たせて、犯人逮捕に協力できるとともに、犯罪の減少、抑止に繋がる。また、猿、猪、野犬等の害獣撃退用にも使い分けられるという利点がある。
したがって、個人のみでなく家庭用、警察官、ガードマン、タクシー運転手等の装備用として、またコンビニ、質店、金融機関、貴金属店ほかへの押し込み強盗対策用の店頭備品として、防犯に効果を発揮するものと考える。特にエアゾール液を顔面等、衣服に噴射、マーキング剤を付着、着色することによって犯人の逃走を困難にするとともに、店頭商品及び店頭フロア被害を最小に抑えることが出来る。また事件に際し警察官の警棒、拳銃使用を控え、第３の装備として外傷を負わせることなく、大きなダメージを与え、判別明瞭な証拠を残し逮捕、追跡行動が容易になる。
【０００９】
したがって最近の社会状況、とくに犯罪の多発、その事件の状況から自衛、護身の備えを構じておれば、かなりの事件，被害から逃れられたケースもあったのではないかと考える。個人、コンビニ店等に防犯、とりわけ抵抗，反撃体制があると衆知されれば、出来心的な単純な物盗りや、暴漢、ストーカーほか等の事件発生抑止、減少に大きく貢献できると考える。
【００１０】
また猿、猪、野犬等の害獣撃退用には、エアゾール溶製剤に強力な各種の目，鼻，咽喉の刺激剤、蛍光着色剤等を選択し、目的別に組み合わせ、又は混合することで、個人または店頭の商品などの自衛を図り、撃退または退散させるとともに、生態研究にも寄与することが可能である。
【発明を実施するための最良の形態】
【００１１】
起立状態に付勢され傾倒及び下動により内溶液を噴射するステムを備えたエアゾール容器を採用し、ハウジング・ボデイケースに前記エアゾール容器を内蔵して、シンプルな前方向への押し出し式発射ボタンを操作することによって、噴射可能にしたことで突発的な事件、出来事に対峙、即応するという目的を、最小の部品点数で、使用者の安全を損なわずに実現した。
【実施例１】
【００１２】
図１２は、本発明装置の１実施例で、噴射中の使用例斜視図であって、図１は自衛護身用、暴漢、猿、猪、野犬等の害獣撃退用携帯スプレーの全体上面図である。以下に図面に沿って説明する。
【００１３】
本発明装置の図１は前記携帯スプレーの上面図であって、ハウジング部１とボデイケース２、及び起立状態に付勢され傾倒及び下動により内溶液を噴射するステムを備えたエアゾール容器３（以後エアゾール容器と言う）、前記エアゾール容器を収納、装填するボデイケース２の３点からなる携帯用スプレーであって、ハウジング部１とボデイケース部２螺子式で一体化，結合する。また前記結合部の外縁部、及び前記外縁部と中指幅程度の間隔を置いて、ボデイケース部２側外縁部に、それぞれに突出したリング５，６有して、握りやすく且つ滑り止めとしている。
【００１４】
図２は図１の側面の断面図で、携帯スプレーの構造、構成を示したものである。
【００１５】
ハウジング部１は、最前部に噴射時用の円形開口部、噴射口ノズル摺動孔１７を有する中仕切り盤１９、アクチュエータ摺動孔１８を有するバイパス路内包の中仕切り盤２０、前方向への押し出し式発射ボタン７（以後発射ボタンと言う）とその仕組み、エアゾール容器ストッパー１４等を構成するハウジングである。
【００１６】
エアゾール容器３のステム９に立設されているアクチュエータ１０は、ハウジング部１のアクチュエータ摺動孔１８、エアゾール噴射ノズル摺動孔１７を貫通して、安定、ブレないように姿勢を保持されている。また発射ボタン７が押されている状態（噴射中）の時、アクチュエータ１０に内包されているノズル道管２１は前記アクチュエータ１０の立設部でステム９と連結し、くの字状に配管されて、アクチュエータ１０先端部のエアゾール噴射ノズル１１に連通し、前記ノズルエアゾール噴射１１は、ハウジング部１の前部、噴射時用の円形開口部の中央軸線上に位置するようにエアゾール噴射ノズルが具備されている。したがって発射ボタン７が押されると、前記エアゾール噴射ノズル１１から真っ直ぐ、噴射時用の円形開口部の中央を通って、前方へ噴射される構造になっている。
【００１７】
発射ボタン７は、図１−７、図２−７、で示すようにハウジング側リング５の前方に隣接して取付けられており、前記発射ボタン７の一部は図２のC-C”、及び図１１に示すようにハウジング部１に埋没、組込まれて前後に摺動して噴射，停止させる構造である。また発射ボタン７は図９―イ側面の断面図、ロは上面図のように、押し出しボタン部分は山形に突出し、その下部には帯状押し板１３を有し、その先端部は枡形で、発射ボタン７の操作に一体としてバイパス路１６内を摺動し、アクチュエータ１０を押圧して、エアゾール容器３のバルブを開弁、噴射する。なおアクチュエータ摺動孔１８内をアクチュエータ１０が貫通しているが、同時にアクチュエータ１０は前記発射ボタン７の先端部枡形を、バイパス路１６の途次にある摺動孔内で貫通している。
また図９−ロ−８、図２−８は発射ボタン７の戻し用スプリングで、前記スプリング８によって発射ボタン７、及びアクチュエータ１０を連動して、元の停止位置へ強制的に戻すとともに、誤発射を予防する。
【００１８】
図３は、図２の下から見た断面図であって、A―A”側から見たものが図５で、エアゾール噴射ノズル摺動孔１７を有する中仕切り盤１９である。発射ボタン７を操作する際、及び停止時アクチュエータ１０の先端にあるエアゾール噴射ノズル１１の往復移動、及び停止時姿勢の保持をブレないように安定させる。噴射時用の円形開口部１２は、ハウジング部１の内側に向かってV字形に成形されて、前記中仕切り盤１９、バイパス路内包の中仕切り盤２０とともに、ハウジング部１の全体強度を強化するものである。
【００１９】
図７は、図１，図２，図３のボデイケース２の後方、底部正面図であって、中央にストラップ取付け片部４、エア抜き口１５を具備している。前記ストラップ取付け片部４は携帯ストラップを取付けるためのもので、前記携帯ストラップを取付けることでハウジング・ボデイケースの前後を間違えるなどの単純ミスを防止するとともに、オシャレな装丁を施すことによって、特に夜間等、人通りがすくない時間帯、とかくの噂の場所などを通行する場合、ストーカー、暴漢からの自衛のために、女性が手に所持して歩いていても違和感がなく、また個人のみでなく家庭用、警察官、ガードマン、タクシー運転手等の装備用として、またコンビニ、ある貴金属店、押し込み強盗対策用の店頭備品として、レジ−の横等身近に置いていても違和感を感じさせないで、防犯に効果を発揮するものと考える。また前記エア抜き口１５は、ボデイケース２にエアゾール容器３を収納、装填する際のエア抜き用であって、前記ストラップ取付け片部４の直下、中央にエア抜き口を設けると、ストラップ取付け片部４の取付け穴と共用できる。
【００２０】
エアゾール容器３の内容液、エアゾール溶製剤には、各種の目，鼻，咽喉等への水溶性、又はガス刺激剤、水溶性又は微粉末の蛍光着色剤、染料等を選択混合し、又は目的別に組み合わせ使用することによって、個人または店頭の商品などの自衛を図り、撃退または退散させるとともに、生態研究にも寄与することが可能である。なお前記エアゾール容器３の内容液、エアゾール溶製剤は、人畜に無害、又は傷害の残らない製剤，成分が望ましい。
【００２１】
エアゾール容器３には、内容液とともに高圧ガスが充填されている。前記高圧ガスの圧力は、エアゾール内容液の噴霧、有効射程距離約６０CM程度以上の噴射能力を有することが望まれる。したがって前記高圧ガスを安全に保持するため、エアゾール容器３は肉厚のアルミ製、またはステンレス製が望ましい。なお前記高圧ガスには噴射能力を満たすかぎり、人畜に無害、又は傷害の残らない難燃性のガスの使用が望ましい。
【００２２】
本発明の携帯エアゾールスプレーは、小型円筒形であり、その大きさは、太さ約３０ｍｍ±１０ｍｍ位、長さ約１５０ｍｍ±１０ｍｍ位、又はそれ以下の手のひらに収まるサイズが望ましく、手ごろな持ち易さと、扱い易さ、オシャレな装丁などにより、その普及、効用を期待し追求したものである。
【産業上の利用可能性】
【００２３】
本発明の携帯エアゾールスプレーは、小型であり、エアゾール溶製剤には、目、鼻、咽喉への水溶性又はガス刺激剤、及び水溶性又は微粉末の蛍光着色剤、染料等を選択混合し、又は組み合わせることにより、自衛護身、暴漢撃退用、タクシー、コンビニ、あるいは貴金属店、押し込み強盗などの犯人に対し、威嚇、抵抗する勇気を奮い立たせて、犯人逮捕に協力できる。また、猿、猪、野犬等の害獣撃退用にも使い分けできる。
【００２４】
したがって、個人のみでなく家庭用、警察官、ガードマン、タクシー運転手等の装備用として、またコンビニ、ある貴金属店、押し込み強盗対策用備品として防犯に効果を発揮するものと考える。特にエアゾール液を顔面等、衣服に噴射、付着、着色することによって犯人の逃走を困難にし、警察官の警棒、拳銃使用を控え、外傷を負わせることなく、大きなダメージを与え、判別明瞭な証拠を残すなど追跡逮捕，捜索などの行動を容易にするなどの用途にも役立つものと考える。
【００２５】
また最近の社会状況、とくに犯罪の多発、その事件の発生状況からも自衛、護身の備えを構じておれば、かなりの事件，被害から逃れられたケースもあったのではないかと考える。また将来個人、コンビニ店等に防犯、とりわけ抵抗，反撃体制があると衆知されることによって、単純な恐喝、暴行、痴漢、ストーカー等の事件発生の抑止と合わせて被害者の減少にも大きく貢献できるものと考える。
【図面の簡単な説明】
【００２６】
噴射中の状態において
【図１】本発明の自衛護身用、暴漢、猿、猪、野犬等の害獣撃退用携帯スプレーの全体上面図である
【図２】図１の側面の断面図
【図３】図２の下から見た断面図
【図４】図１の前面、正面図
【図５】図３のA、A”側から見た中仕切り板１９の側面図
【図６】図２のB、B”側から見たバイパス路内包の中仕切り盤２０の側面図
【図７】図１，図２，図３のボデイケース２の後方、底部の正面図
【図８】図２のアクチュエータ１０の三面図でイは側面図、ロは正面図、ハは底面図
【図９】図２の前方向への押し出しタイプ発射ボタン７の三面図でイは側断面図、ロは正面図、ハは上面図
【図１０】図９の帯状押し棒１３をピアノ線，鋼線等使用の場合の三面図でイは側断面図、ロは正面図、ハは上面図
【図１１】図２のC、C”の発射ボタン７の断面図
【図１２】実施例の使用例斜視図
【符号の説明】
【００２７】
１．    ハウジング
２．    ボデイケース
３．    エアゾール容器
４．    ストラップ取付け片部
５．             
ハウジング側リング
６．             
ボデイケース側リング
７．             
前方向への押し出し式発射ボタン
８．             
スプリング
９．             
ステム
１０．       アクチュエータ
１１．       エアゾール噴射ノズル
１２．       噴射時用の円形開口部
１３．       帯状押し板
１４．       エアゾール容器ストッパー
１５．       エア抜き口
１６．       バイパス路
１７．       エアゾール噴射ノズル摺動孔
１８．       アクチュエータ摺動孔
１９．       中仕切り盤
２０．       バイパス路内包の中仕切り盤
２１．       アクチュエータに内包されているノズル道管
２２．      
ピアノ線等の鋼線
２３．      
前方向への押し出し発射ボタン摺動溝
【図１】
0003673272.tif 000002
【図２】
0003673272.tif 000003
【図３】
0003673272.tif 000004
【図４】
0003673272.tif 000005
【図５】
0003673272.tif 000006
【図６】
0003673272.tif 000007
【図７】
0003673272.tif 000008
【図８】
0003673272.tif 000009
【図９】
0003673272.tif 000010
【図１０】
0003673272.tif 000011
【図１１】
0003673272.tif 000012
【図１２】
0003673272.tif 000013